(57)【要約】【課題】介護臭除去効果に優れた衣料用液体洗浄剤組成物の提供。【解決手段】（Ａ）成分：非イオン性界面活性剤、（Ｂ）成分：アニオン性界面活性剤、（Ｃ）成分：酸化酵素を含有し、総界面活性剤量が１３質量％以上であり、前記（Ｂ）成分／前記（Ａ）成分で表される質量比が０．００５〜１である、衣料用液体洗浄剤組成物。【特許請求の範囲】
【請求項１】
（Ａ）成分：非イオン性界面活性剤、
（Ｂ）成分：アニオン性界面活性剤、
（Ｃ）成分：酸化酵素
を含有し、
総界面活性剤量が１３質量％以上であり、
前記（Ｂ）成分／前記（Ａ）成分で表される質量比が０．００５〜１である、
衣料用液体洗浄剤組成物。
【請求項２】
前記（Ａ）成分が、
ポリオキシアルキレンアルキルエーテル、
ポリオキシアルキレン脂肪酸アルキルエステル
から選ばれる１種以上である、請求項１に記載の衣料用液体洗浄剤組成物。
【請求項３】
前記（Ｂ）成分が、
直鎖アルキルベンゼンスルホン酸又はその塩、
ポリオキシアルキレンアルキルエーテル硫酸エステル又はその塩、
α−スルホ脂肪酸エステル又はその塩、
α−オレフィンスルホン酸又はその塩
から選ばれる１種以上である、請求項１に記載の衣料用液体洗浄剤組成物。
【請求項４】
前記（Ｃ）成分が、ラッカーゼ、ペルオキシダーゼから選ばれる１種以上である、請求項１に記載の衣料用液体洗浄剤組成物。
【請求項５】
さらに、（Ｄ）成分：抗菌剤
を含有する請求項１〜４のいずれかに記載の衣料用液体洗浄剤組成物。
【請求項６】
さらに、（Ｅ）成分：過酸化水素源
を含有する請求項１〜５のいずれかに記載の衣料用液体洗浄剤組成物。
【発明の詳細な説明】
【技術分野】
【０００１】
本発明は、衣料用液体洗浄剤組成物に関する。
【背景技術】
【０００２】
高齢化が進行する中、介護家庭の数も年々増加傾向にある。介護家庭の課題のひとつに、「尿臭」と「皮脂臭」の混合臭気である独特で不快な「介護臭」がある。この「尿臭」の主な臭気成分に、尿由来のｐ−クレゾールがあり、「尿臭」を除去するための酸化酵素（ラッカーゼやペルオキシダーゼ等）は、ｐ−クレゾールを含むフェノール性化合物と反応して化合物自身の臭気発生を抑制する効果があることが知られている（特許文献１）。しかし、「皮脂臭」を含んだ混合臭である「介護臭」を除去するには不十分であった。
【先行技術文献】
【特許文献】
【０００３】
【特許文献１】特表２００１−５１４８８１号公報
【発明の概要】
【発明が解決しようとする課題】
【０００４】
本発明は、衣類上の「介護臭（尿臭と皮脂臭の混合臭気）」を効果的に除去し、消臭できる衣料用液体洗浄剤組成物の提供を目的とする。
【課題を解決するための手段】
【０００５】
本発明は以下の態様を有する。
［１］
（Ａ）成分：非イオン性界面活性剤、
（Ｂ）成分：アニオン性界面活性剤、
（Ｃ）成分：酸化酵素
を含有し、
総界面活性剤量が１３質量％以上であり、
前記（Ｂ）成分／前記（Ａ）成分で表される質量比が０．００５〜１である、
衣料用液体洗浄剤組成物。
［２］
前記（Ａ）成分が、ポリオキシアルキレンアルキルエーテル、ポリオキシアルキレン脂肪酸アルキルエステルから選ばれる１種以上である、［１］の衣料用液体洗浄剤組成物。
［３］
前記（Ｂ）成分が、直鎖アルキルベンゼンスルホン酸又はその塩、ポリオキシアルキレンアルキルエーテル硫酸エステル又はその塩、α−スルホ脂肪酸エステル又はその塩、α−オレフィンスルホン酸又はその塩から選ばれる１種以上である、［１］の衣料用液体洗浄剤組成物。
［４］
前記（Ｃ）成分が、ラッカーゼ、ペルオキシダーゼから選ばれる１種以上である、［１］の衣料用液体洗浄剤組成物。
［５］さらに、（Ｄ）成分：抗菌剤を含有する［１］〜［４］のいずれかに記載の衣料用液体洗浄剤組成物。
［６］さらに、（Ｅ）成分：過酸化水素源を含有する［１］〜［５］のいずれかに記載の衣料用液体洗浄剤組成物。
【発明の効果】
【０００６】
本発明によれば、介護臭（尿臭と皮脂臭の混合臭気）の消臭性に優れた衣料用液体洗浄剤組成物を提供できる。
【発明を実施するための形態】
【０００７】
［衣料用液体洗浄剤組成物］
本発明の衣料用液体洗浄剤組成物（以下、単に液体洗浄剤ともいう。）は、（Ａ）成分、（Ｂ）成分、及び（Ｃ）成分を含有する。
＜（Ａ）成分＞
（Ａ）成分は、非イオン性界面活性剤である。
（Ａ）成分は、１種単独で用いてもよく、２種以上を組み合わせて用いてもよい。
（Ａ）成分しては、従来、衣料用などの液体洗浄剤に用いられているノニオン性界面活性剤であればよく、例えば、ポリオキシアルキレンアルキルエーテル、ポリオキシアルキレン脂肪酸アルキルエステル、アルキルフェノール、高級アミン等のアルキレンオキシド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、硬化ヒマシ油のアルキレンオキシド付加体、糖脂肪酸エステル、Ｎ−アルキルポリヒドロキシ脂肪酸アミド、アルキルグリコシドなどが挙げられる。
（Ａ）成分としては、上記の中でも、洗浄力の点で、ポリオキシアルキレンアルキルエーテル、ポリオキシアルキレン脂肪酸アルキルエステルが好ましい。
【０００８】
例えば、下記一般式（ａ１）で表される化合物（以下、「化合物（ａ１）」ということがある。）が挙げられる。
【０００９】
Ｒ１−Ｘ−［（ＥＯ）ｍ／（ＰＯ）ｎ］−Ｒ２    ・・・（ａ１）
式（ａ１）中、Ｒ１は炭素数６〜２２の炭化水素基であり、Ｘは２価の連結基であり、Ｒ２は水素原子、炭素数１〜６のアルキル基又は炭素数２〜６のアルケニル基であり、ＥＯはオキシエチレン基を表し、ＰＯはオキシプロピレン基を表し、ｍはＥＯの平均繰り返し数を表し、３〜２０の数であり、ｎはＰＯの平均繰り返し数を表し、０〜６の数である
式（ａ１）中、Ｒ１の炭化水素基の炭素数は、６〜２２であり、８〜２０が好ましく、１０〜１８がより好ましい。Ｒ１の炭化水素基は、直鎖であっても分岐鎖であってもよく、不飽和結合を有していても有していなくてもよい。
【００１０】
−Ｘ−としては、−Ｏ−、−ＣＯＯ−、−ＣＯＮＨ−等が挙げられる。
【００１１】
Ｒ２におけるアルキル基の炭素数は、１〜６であり、１〜３が好ましい。
【００１２】
Ｒ２におけるアルケニル基の炭素数は、２〜６であり、２〜３が好ましい。
【００１３】
−Ｘ−が−Ｏ−、−ＣＯＯ−又は−ＣＯＮＨ−である化合物（ａ１）は、第１級もしくは第２級の高級アルコール（Ｒ１−ＯＨ）、高級脂肪酸（Ｒ１−ＣＯＯＨ）又は高級脂肪酸アミド（Ｒ１−ＣＯＮＨ）を原料として得られる。これら原料におけるＲ１は、式（ａ１）中のＲ１と同じである。
ｍは、ＥＯの平均繰り返し数（すなわち、エチレンオキシドの平均付加モル数）を表す３〜２０の数であり、５〜１８が好ましく、７〜１６がより好ましく、１０〜１６が更に好ましく、１３〜１６が特に好ましい。上記上限値超では、ＨＬＢ値が高くなりすぎて皮脂に対する洗浄力が低下するおそれがある。上記下限値未満では、（Ａ）成分自体の原料臭気の劣化を生じるおそれがある。
【００１４】
ｎは、ＰＯの平均繰り返し数（すなわち、プロピレンオキシドの平均付加モル数）を表す０〜６の数であり、０〜３が好ましい。上記上限値超では、液体洗浄剤の高温下での液安定性が低下する傾向にある。
ｎが１以上の場合、すなわち、化合物（ａ１）がＥＯ及びＰＯを有する場合、エチレンオキシド及びプロピレンオキシドの付加方法は特に限定されず、例えば、ランダム付加方法でもよく、ブロック付加方法でもよい。ブロック付加方法としては、例えば、エチレンオキシドを付加した後、プロピレンオキシドを付加する方法、プロピレンオキシドを付加した後、エチレンオキシドを付加する方法、エチレンオキシドを付加した後、プロピレオキシドを付加し、さらにエチレンオキシドを付加する方法などが挙げられる。
ポリオキシアルキレンアルキルエーテルの中でも以下の化合物が好ましい。
【００１５】
（１）ポリオキシエチレンアルキルエーテル（ＥＯの平均付加モル数１５）、商品名「ＬＭＡＯ−９０」、ライオン株式会社製。式（ａ１）中、Ｒ１＝炭素数１２〜１４の直鎖のアルキル基、Ｘ＝Ｏ、ｍ＝１５、ｎ＝０、Ｒ２＝Ｈ。
【００１６】
（２）ポリオキシエチレンアルキルエーテル（ＥＯの平均付加モル数１２）、商品名「ＬＭＡＬ−９０」、ライオン株式会社製。式（ａ１）中、Ｒ１＝炭素数１２〜１４の直鎖のアルキル基、Ｘ＝Ｏ、ｍ＝１２、ｎ＝０、Ｒ２＝Ｈ。
【００１７】
（３）ポリオキシエチレンアルキルエーテル（ＥＯの平均付加モル数９）、商品名「ＮＳＡＥ−８５」、ライオン株式会社製。式（ａ１）中、Ｒ１＝炭素数１２〜１４の直鎖のアルキル基、Ｘ＝Ｏ、ｍ＝９、ｎ＝０、Ｒ２＝Ｈ。
【００１８】
（４）ポリオキシエチレンアルキルエーテル（ＥＯの平均付加モル数７）、商品名「ＴＬＭＡＧＬ−９０Ｍ」、ライオン株式会社製。式（ａ１）中、Ｒ１＝炭素数１３の分岐のアルキル基、Ｘ＝Ｏ、ｍ＝７、ｎ＝０、Ｒ２＝Ｈ。
ポリオキシアルキレン脂肪酸アルキルエステルの中でも以下の化合物が好ましい。
【００１９】
（５）ポリオキシエチレン脂肪酸メチルエステル（ＥＯの平均付加モル数１５）、商品名「ＣＥＡＯ−９０」、ライオン株式会社製。式（ａ１）中、Ｒ１＝炭素数１２〜１４の直鎖のアルキル基、Ｘ＝ＣＯＯ、ｍ＝１５、ｎ＝０、Ｒ２＝メチル基。
上記の中でも（１）と（５）がより好ましく、（１）が特に好ましい。
（Ａ）成分の含有量は液体洗浄剤の総質量に対し、１０質量％以上が好ましく、１２〜５０質量％がより好ましく、１２〜４０質量％が更に好ましく、１５〜４０質量％が特に好ましい。上記範囲内であることで、介護臭の除去効果と液安定性に優れる。
＜（Ｂ）成分＞
（Ｂ）成分は、アニオン性界面活性剤である。アニオン性界面活性剤は、尿臭を落としにくくしている要因の一つであるタンパク汚れの除去に効果がある。
（Ｂ）成分としては、従来、衣料用などの液体洗浄剤に用いられているアニオン性界面活性剤であればよく、例えば、直鎖アルキルベンゼンスルホン酸又はその塩、α−オレフィンスルホン酸又はその塩、内部オレフィンスルホン酸又はその塩、直鎖状又は分岐鎖状のアルキル硫酸エステル又はその塩、ポリオキシアルキレンアルキルエーテル硫酸エステル又はその塩、ポリオキシアルキレンアルケニルエーテル硫酸エステル又はその塩、アルキル基を有するアルカンスルホン酸又はその塩、α−スルホ脂肪酸エステル又はその塩、アルキルエーテルカルボン酸又はその塩、ポリオキシアルキレンエーテルカルボン酸又はその塩、アルキルアミドエーテルカルボン酸又はその塩、アルケニルアミドエーテルカルボン酸又はその塩、アシルアミノカルボン酸又はその塩等のカルボン酸型アニオン性界面活性剤、アルキルリン酸エステル又はその塩、ポリオキシアルキレンアルキルリン酸エステル又はその塩、ポリオキシアルキレンアルキルフェニルリン酸エステル又はその塩、グリセリン脂肪酸エステルモノリン酸エステル又はその塩等のリン酸エステル型アニオン性界面活性剤などが挙げられる。
前述のポリオキシアルキレンアルキルエーテル硫酸エステル又はその塩は下記一般式（ｂ１）で表される。
【００２０】
Ｒ１−Ｏ−［（ＥＯ）ｍ／（ＰＯ）ｎ］−ＳＯ３−Ｍ＋・・・（ｂ１）
式（ｂ１）中、Ｒ１は、炭素数８〜２０の直鎖状又は分岐鎖状のアルキル基であり、ＥＯはオキシエチレン基を表し、ＰＯはオキシプロピレン基を表し、ｍは、ＥＯの平均繰り返し数を表す１以上の数であり、ｎは、ＰＯの平均繰り返し数を表す０〜６の数であり、Ｍ＋は対カチオンである。
【００２１】
式（ｂ１）におけるｍ＝０、ｎ＝０の成分（ｂ０）の含有量は、総質量に対して３５〜５５質量％であることが好ましい。
Ｒ１は炭素数１０〜２０の直鎖もしくは分岐鎖のアルキル基を有し、平均１〜５モルのアルキレンオキシドが付加されたものが好ましい。上記アルキル基の炭素数としては、１０〜２０が好ましく、１２〜１４がより好ましい。具体的には、ドデシル基、トリデシル基、テトラデシル基等が挙げられる。なかでもドデシル基が好ましい。
【００２２】
ＥＯの平均繰り返し数は、１〜５が好ましく、１〜３が好ましい。
【００２３】
ＰＯの平均繰り返し数は、０〜３が好ましい。
【００２４】
アニオン性界面活性剤の塩の形態としては、ナトリウム、カリウム等のアルカリ金属塩、マグネシウム等のアルカリ土類金属塩、モノエタノールアンモニウム、ジエタノールアンモニウム等のアルカノールアミン塩などが挙げられる。
上記のうち、直鎖アルキルベンゼンスルホン酸又はその塩；α−オレフィンスルホン酸又はその塩；直鎖状又は分岐鎖状のアルキル硫酸エステル又はその塩；ポリオキシアルキレンアルキルエーテル硫酸エステル又はその塩；α−スルホ脂肪酸エステル又はその塩が好ましく、直鎖アルキルベンゼンスルホン酸又はその塩がより好ましい。直鎖アルキルベンゼンスルホン酸はゲル化抑制、液安定性（液体洗浄剤を保存中の固化や析出抑制）の点でも好ましい。
上記のうち、直鎖アルキルベンゼンスルホン酸又はその塩としては、直鎖アルキル基の炭素数が８〜１６の直鎖アルキルベンゼンスルホン酸又はその塩が好ましく、直鎖アルキル基の炭素数１０〜１４の直鎖アルキルベンゼンスルホン酸又はその塩が特に好ましい。
(Ｂ)成分の含有量は液体洗浄剤の総質量に対し、１〜３０質量％が好ましく、１〜２０質量％がより好ましく、１〜１５質量％が最も好ましい。上記範囲内であることで、尿臭の除去効果と液安定性に優れる。
＜（Ｃ）成分＞
（Ｃ）成分は酸化酵素である。
（Ｃ）成分としては、ラッカーゼやペルオキシダーゼが挙げられる。
（Ｃ）成分は１種類を単独で用いてもよく、２種類以上を組み合わせて用いてもよい。
（Ｃ）成分は、尿臭および介護臭の除去効果の点から、ラッカーゼが好ましい。
具体的に入手可能な市販品は、ラッカーゼ （ノボザイムズ社製、商品名「Ｄｅｎｉｌｉｔｅ  II Ｓ」）、ペルオキシダーゼ（ノボザイムズ社製、商品名「Ｄｅｎｉｌｉｔｅ  Ｃｏｌｄ」などが挙げられる。
（Ｃ）成分の含有量は、衣料用液体洗浄剤組成物の総質量に対し、０．０５〜２質量％が好ましく、０．１〜２質量％がより好ましく、０．５〜２質量％が最も好ましい。上記範囲内であることで、尿臭の除去効果と液安定性に優れる。
＜（Ｄ）成分＞
（Ｄ）成分は抗菌剤である。繊維製品の洗浄剤の分野で公知の抗菌剤を用いることができる。抗菌剤は１種でもよく、２種以上を併用してもよい。
【００２５】
抗菌剤として、例えば、下記（ｄ−１）成分、（ｄ−２）成分及び（ｄ−３）成分からなる群から選択される少なくとも１種を用いることが好ましい。
【００２６】
（ｄ−１）成分：４級窒素原子の置換基として、直鎖状もしくは分岐鎖状の炭素数１〜１６のアルキル基、直鎖状もしくは分岐鎖状の炭素数１〜１６のアルケニル基、炭素数１〜１６のヒドロキシアルキル基又は炭素数１〜１６のフェニルアルキル基を有する第４級アンモニウム塩。
【００２７】
（ｄ−２）成分：フェノール系抗菌剤。
【００２８】
（ｄ−３）成分：ビグアニド化合物。
（ｄ−１）成分としては、下記式（ｄ−１−１）、（ｄ−１−２）、（ｄ−１−３）で表される第４級アンモニウム塩が挙げられる。
【００２９】
【化１】
2020125388.tif 000002
【００３０】
式（ｄ−１−１）中、Ｒ１〜Ｒ４のうちの２つ以上は、それぞれ独立して、炭素数１〜３のアルキル基、又は炭素数１〜３のヒドロキシアルキル基であり、それ以外は、炭素数８〜１６の直鎖状もしくは分岐鎖状のアルキル基、又は炭素数８〜１６の直鎖状もしくは分岐鎖状のアルケニル基である。Ｚ−は、ハロゲンイオン又はアルキル硫酸イオンである。
【００３１】
【化２】
2020125388.tif 000003
【００３２】
式（ｄ−１−２）中、Ｒ５は、炭素数８〜１６の直鎖状もしくは分岐鎖状のアルキル基、又は炭素数８〜１６の直鎖状もしくは分岐鎖状のアルケニル基である。Ｒ６は、炭素数１〜３のアルキル基、炭素数１〜３のヒドロキシアルキル基、又は炭素数５〜２０の芳香族炭化水素基である。ｘ及びｙは、オキシエチレン基の平均繰り返し数を示し、それぞれ独立して０以上の整数であって、ｘ＋ｙが１０以上である。Ｚ−は、ハロゲンイオン又はアルキル硫酸イオンである。
【００３３】
【化３】
2020125388.tif 000004
【００３４】
式（ｄ−１−３）中、Ｒ７及びＲ８は、それぞれ独立して、炭素数１〜３のアルキル基又は炭素数１〜３のヒドロキシアルキル基であり、Ｒ９は、炭素数８〜１６の直鎖状もしくは分岐鎖状のアルキル基又はアルケニル基であり、Ｒ１０は、炭素数１〜３のアルキレン基である。Ｚ−は、ハロゲンイオン又はアルキル硫酸イオンである。
【００３５】
（ｄ−２）成分としては、ダイクロサン、トリクロサン、クロルチモール、カルバクロル、クロロフェン、ジクロロフェン、ヘキサクロロフェン、クロロキシレノール、クロロクレゾール等のクロロフェノール系抗菌剤；Ｏ−フェニルフェノール、イソプロピルメチルフェノールが挙げられ、なかでもダイクロサンが好ましい。
【００３６】
（ｄ−３）成分としては、下記一般式（ｄ−３−１）で表されるビグアニド系化合物や塩酸クロロヘキシジン（１，１’−Ｈｅｘａｍｅｔｈｙｌｅｎｅ  ｂｉｓ  ［５−（４−ｃｈｌｏｒｏｐｈｅｎｙｌ）ｂｉｇｕａｎｉｄｅ］  ｄｉｈｅｄｒｏｃｈｌｏｒｉｄｅ）などを用いることができる。
【００３７】
−［Ｒ１１−ＮＨ−Ｃ（ＮＨ）−ＮＨ−Ｃ（ＮＨ）−ＮＨ］ｎ−ｎ・ＨＹ・・・（ｄ−３−１）
式（ｄ−３−１）中、Ｒ１１は炭素数２〜８のアルキレン基であり、好ましくは炭素数４〜８のアルキレン基であり、特にヘキサメチレン基であり、ｎは２〜１４であり、好ましくは１０〜１４であり、より好ましくは１１〜１３であり、特に好ましくは１２である。ＨＹは有機酸又は無機酸を示し、好ましくは塩酸、グルコン酸又は酢酸であり、特に塩酸が最も好ましい。
【００３８】
（ｄ−３）成分としては、一般式（ｄ−３−１）においてＲ１１がヘキサメチレン基であり、ｎが１０〜１４であるものが好適であり、更にはｎが１１〜１３であるポリヘキサメチレンビグアニド塩酸塩が最も好適である。
【００３９】
好ましいポリヘキサメチレンビグアニド抗菌剤は市販のものを用いることができる。例えば前記一般式（ｄ−３−１）のＲ２１がヘキサメチレン基であり、ｎが１２であり、ＨＹが塩酸である、ポリ（ヘキサメチレンビグアニド）塩酸塩（商品名Ｐｒｏｘｅｌ  ＩＢ（登録商標））を使用できる。
【００４０】
（Ｄ）成分としては、（ｄ−２）成分のフェノール系抗菌剤が好ましく、クロロフェノール系抗菌剤が好ましく、ダイクロサンがさらに好ましい。
（Ｄ）成分の含有量は、衣料用液体洗浄剤組成物の総質量に対し０．００１〜５質量％が好ましく、０．０１〜０．５質量％がより好ましく、０．０２〜０．２質量％がさらに好ましい。上記範囲内であることで、尿臭の除去効果と液安定性に優れる。
＜（Ｅ）成分＞
（Ｅ）成分は過酸化水素源である。
（Ｅ）成分としては過酸化水素を発生し得るものであれば特に制限はなく、目的に応じて適宜選択することができる。例えば、過酸化水素源が、過酸化水素、過酸化水素発生化合物及び過酸化水素産生酵素から選択される少なくとも１種が好適である。
【００４１】
前記過酸化水素としては、過酸化水素水などが挙げられる。前記過酸化水素発生化合物としては、例えば、過炭酸ナトリウム等の過炭酸塩、過ホウ素酸塩、ペルオキシカルボン酸又はその塩などが挙げられる。前記過酸化水素産生酵素としては、例えば、グルコースオキシダーゼ、アルコールオキシダーゼ、コレステロールオキシダーゼなどが挙げられる。
前記過酸化水素源の前記洗浄剤組成物中における含有量としては、特に制限はなく、目的に応じて適宜選択することができ、洗浄時の過酸化水素量として、前記マンガンペルオキシダーゼを活性化させるために０．１〜１０００ｐｐｍが好ましく、１〜１００ｐｐｍがより好ましい。上記範囲内であることで、尿臭の除去効果と液安定性に優れる。
（Ａ）成分、（Ｂ）成分以外の界面活性剤としては、カチオン性界面活性剤、両性界面活性剤、半極性界面活性剤を配合してもよい。
例えば、アルキルトリメチルアンモニウム塩、ジアルキルジメチルアンモニウム塩、アルキルベンジルジメチルアンモニウム塩、アルキルピリジニウム塩、アルキルアミドアミン等のカチオン性界面活性剤が挙げられる。カチオン性界面活性剤は、洗浄剤組成物の総質量に対して０〜１０質量％が好ましい。
アルキルベタイン型、アルキルアミドベタイン型、イミダゾリン型、アルキルアミノスルホン型、アルキルアミノカルボン酸型、アルキルアミドカルボン酸型、アミドアミノ酸型、リン酸型両性界面活性剤が挙げられる。両性界面活性剤は、洗浄剤組成物の総質量に対して０〜１０質量％が好ましい。
ラウリルジメチルアミンオキシド、ラウリン酸アミドプロピルジメチル等の半極性界面活性剤が挙げられる。半極性界面活性剤は、洗浄剤組成物の総質量に対して０〜１０質量％が好ましい。
これらは１種単独で用いられてもよく、２種以上が組み合わされて用いられてもよい。
【００４２】
総界面活性剤量は、衣料用液体洗浄剤組成物の総質量に対し、１３〜６０質量％が好ましく、１３〜５０質量％がより好ましく、１３〜４０質量％が特に好ましく、１５〜４０質量％が最も好ましい。上記範囲内であることで、介護臭の除去効果と液安定性に優れる。
＜（Ｃ）成分以外の酵素＞
（Ｃ）成分以外の酵素としては、例えばプロテアーゼ、アミラーゼ、リパーゼ、セルラーゼ、マンナナーゼ等が挙げられる。ここで、「酵素」とは、酵素製剤のことを意味する。
【００４３】
プロテアーゼとしては、プロテアーゼ製剤としてノボザイムズ社から入手できる、Ｍｅｄｌｅｙ（登録商標）  Ｃｏｒｅ２１０Ｌ、Ｓａｖｉｎａｓｅ（登録商標）１６Ｌ、Ｓａｖｉｎａｓｅ  Ｕｌｔｒａ  １６Ｌ、Ｓａｖｉｎａｓｅ  Ｕｌｔｒａ  １６ＸＬ、Ｓａｖｉｎａｓｅ  Ｅｖｉｔｙ  １６Ｌ、Ｅｖｅｒｌａｓｅ（登録商標）  １６Ｌ  ＴｙｐｅＥＸ、Ｅｖｅｒｌａｓｅ  Ｕｌｔｒａ  １６Ｌ、Ｅｓｐｅｒａｓｅ（登録商標）  ８Ｌ、Ａｌｃａｌａｓｅ（登録商標）  ２．５Ｌ、Ａｌｃａｌａｓｅ  Ｕｌｔｒａ  ２．５Ｌ、Ｌｉｑｕａｎａｓｅ（登録商標）  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ｃｏｒｏｎａｓｅ（登録商標）  ４８Ｌ（いずれも商品名）、ジェネンコア社から入手できるＰｕｒａｆｅｃｔ（登録商標）  Ｌ、Ｐｕｒａｆｅｃｔ  ＯＸ、Ｐｒｏｐｅｒａｓｅ  Ｌ（いずれも商品名）等が挙げられる。
【００４４】
アミラーゼとしては、アミラーゼ製剤としてノボザイムズ社から入手できる、Ｍｅｄｌｅｙ（登録商標）  Ｃｏｒｅ２１０Ｌ、Ｔｅｒｍａｍｙｌ（登録商標）  ３００Ｌ、Ｔｅｒｍａｍｙｌ  Ｕｌｔｒａ  ３００Ｌ、Ｄｕｒａｍｙｌ（登録商標）  ３００Ｌ、Ｓｔａｉｎｚｙｍｅ（登録商標）  １２Ｌ、Ｓｔａｉｎｚｙｍｅ  Ｐｌｕｓ  １２Ｌ、Ａｍｐｌｉｆｙ  １２Ｌ（いずれも商品名）、ジェネンコア社から入手できる、Ｍａｘａｍｙｌ（商品名）、天野製薬株式会社から入手できるプルラナーゼアマノ（商品名）、生化学工業株式会社から入手できるＤＢ−２５０（商品名）等が挙げられる。
【００４５】
リパーゼとしては、リパーゼ製剤としてノボザイムズ社から入手できるＬｉｐｅｘ（登録商標）  １００Ｌ、Ｌｉｐｅｘ  Ｅｖｉｔｙ  １００Ｌ、Ｌｉｐｏｌａｓｅ（登録商標）  １００Ｌ（いずれも商品名）等が挙げられる。
セルラーゼとしては、セルラーゼ製剤としてノボザイムズ社から入手できる、Ｅｎｄｏｌａｓｅ（登録商標）  ５０００Ｌ、Ｃｅｌｌｕｚｙｍｅ（登録商標）  ０．４Ｌ、Ｃａｒｚｙｍｅ（登録商標）  ４５００Ｌ（いずれも商品名）等が挙げられる。
【００４６】
マンナナーゼとしては、マンナナーゼ製剤としてノボザイムズ社から入手できるＭａｎｎａｗａｙ（登録商標）  ４Ｌ（商品名）等が挙げられる。
これら酵素は１種単独で用いられてもよく、２種以上が組み合わされて用いられてもよい。
液体洗浄剤中の酵素の含有量は、液体洗浄剤の総質量に対して、０〜２質量％が好ましい。
（Ｂ）成分／（Ａ）成分で表される質量比（以下、Ｂ／Ａ比ともいう）は、０．０３〜１が好ましく、０．０３〜０．７がより好ましく、０．０５〜０．６が更に好ましい。
上記範囲内であることで、尿臭の除去効果と介護臭の除去効果に優れる。
（Ａ）成分／（Ｃ）成分で表される質量比（以下、Ａ／Ｃ比ともいう）は、６〜６００が好ましく、６〜５００がより好ましく、６〜２００が最も好ましい。上記範囲内であることで、尿臭の除去効果と液安定性に優れる。
（Ｂ）成分／（Ｃ）成分で表される質量比（以下、Ｂ／Ｃ比ともいう）は、１〜５００が好ましく、１〜１００がより好ましく、１〜３０が最も好ましい。上記範囲内であることで、尿臭の除去効果と液安定性に優れる。
（（Ａ）成分＋（Ｂ）成分）／（Ｃ）成分で表される質量比（以下、（Ａ＋Ｂ）／Ｃ比ともいう）は、８〜１０００が好ましく、８〜５００がより好ましく、８〜３００が最も好ましい。上記範囲内であることで、尿臭の除去効果と介護臭の除去効果と液安定性に優れる。
＜その他の任意成分＞
本発明の衣料用液体洗浄剤組成物は、上記の成分および水以外に、液体洗浄剤に用いられている公知の成分を適宜含有させることができる。
【００４７】
任意成分としては、例えば、溶剤（エタノールやポリエチレングリコール等）、キレート剤（ヒドロキシエタンジスルホン酸等）、防腐剤（安息香酸ナトリウム等）、酵素安定化剤（塩化カルシウム、乳酸ナトリウム等）、酸化防止剤（ジブチルヒドロキシトルエン）、香料、着色剤（色素等）、ｐＨ調整剤（水酸化ナトリウムや硫酸等）、高分子（ポリアルキレンアミンのアルキレンオキシド付加体（ソカラン  ＨＰ２０等）、ポリアルキレンアミン（Ｌｕｐａｓｏｌ  ＰＳ等）、ソイルリリースポリマー（ＴｅｘＣａｒｅ  ＳＲＮ−１７０等）、カチオン性ポリマー（マーコート１００、Ｎｏｖｅｒｉｔｅ  ３００、Ｎｏｖｅｒｉｔｅ  ３０２）、（メタ）アクリル（酸）系ポリマー（Ｃａｒｂｏｐｏｌ  Ａｑｕａ３０、ソカランＣＰ５、ソカランＣＰ７、ソカランＣＰ９、Ｒｈｅｏｖｉｓ  ＣＦＤ等）、高度分岐環状デキストリン（クラスターデキストリン等）、カチオン化セルロース）、等が挙げられる。
その他の任意成分の合計の含有量は特に限定されないが、例えば、衣料用液体洗浄剤組成物の総質量に対し、２０質量％以下が好ましく、１０質量％以下がより好ましく、７質量％以下がさらに好ましい。
【００４８】
本発明の衣料用液体洗浄剤組成物は、２５℃におけるｐＨが４〜１０が好ましく、６〜１０がより好ましい。ｐＨがこのような範囲にあると、尿臭除去効果に優れる。
【００４９】
また、衣料用液体洗浄剤組成物を水などで希釈せずに原液を衣類に塗布して使用する場合、洗浄剤組成物のｐＨは８〜１０が好ましい。
【００５０】
なお、本明細書において、ｐＨは、測定対象を２５℃とし、ｐＨメーター（製品名：ＨＭ−３０Ｇ、東亜ディーケーケー株式会社製）により測定される値を意味する。
【００５１】
本発明の衣料用液体洗浄剤組成物の各成分の含有量の合計は１００質量％を超えない。
＜容器＞
衣料用液体洗浄剤組成物は、容器に収容して容器入り液体洗浄剤製品として用いることが好ましい。
【００５２】
容器としては、衣料用液体洗浄剤組成物を収容できる容器が挙げられるが、スクイズ容器、トリガー容器、ポンプ容器であってもよい。これらの容器から衣料用液体洗浄剤を吐出した場合の形態は、液状やシャワー状や泡状であってもよい。
また、液を繊維製品に直に塗りつける塗布面を持った容器（特開２０１８−１８８７８５号公報、図１記載の容器）、袋状容器（特開２００７−３２６６４１号公報、図１記載の容器）、水溶性パウチ（特表２０１８−５１７０１５号公報、図１〜４記載の水溶性パウチ）等であってもよい。
＜製造方法＞
本発明の衣料用液体洗浄剤組成物は、従来公知の液体洗浄剤の製造方法に準じて製造することができる。例えば、分散媒である水の一部に、ｐＨ調整剤を除く各成分を加えて混合した後、ｐＨ調整剤を添加して任意のｐＨに調整した後、水の残部を加えて全体量を１００質量％として、衣料用液体洗浄剤組成物とする。
＜使用方法＞
本発明の衣料用液体洗浄剤組成物の使用方法としては、例えば、衣料用液体洗浄剤組成物を単独で、又は公知の漂白剤や柔軟剤と共に水に入れて洗浄液とし、この洗浄液に被洗物を入れ洗濯機で洗浄する方法、洗浄液に被洗物を一定時間漬け置きした後に洗濯機で洗浄する方法、衣料用液体洗浄剤組成物を水などで希釈せずに原液を衣類に塗布した後に洗濯機で洗浄する方法等が挙げられる。
【００５３】
本発明の衣料用液体洗浄剤組成物は、高齢者や要介護者の衣料（以下、介護用品ともいう）を洗浄するために好ましく用いられる。また発明の衣料用液体洗浄剤組成物は、高齢者や要介護者の衣料の洗浄に限定されるものでなく、尿汚れのある衣類、例えば軽失禁による尿汚れ衣類、乳幼児の尿汚れ衣類、または又はペットの尿汚れ衣類やマット等にも好適に用いることができる。
【００５４】
洗浄剤組成物の使用量は、洗濯時の水量３０Ｌあたり５〜６０ｇが好ましい。
洗浄処理において使用される洗浄剤組成物の量は、繊維製品の合計質量（布量）［ｇ］／洗浄剤の合計質量［ｇ］の比が、１０〜５００が好ましい。
【００５５】
衣類量あたりの水量である浴比（浴比＝洗濯時の水量Ｌ／衣類量ｋｇ）は１５倍以上が好ましい。
液体洗浄組成物を水に溶解した洗浄液中の総界面活性剤の含有量は、洗浄液の総質量に対して５０〜２０００質量ｐｐｍであることが好ましい。
洗濯に使用する水の水温は１０〜３０℃が好ましい。
洗濯の時間は、５〜６０分が好ましい。なお、前述の洗濯の時間とは、浸け置き、塗布、洗浄、すすぎ、柔軟処理、脱水の全ての洗濯工程を含む時間を示す。
液体洗浄剤組成物の塗布量は、汚れの付着部分の全体に液体洗浄剤組成物が浸透する量以上とすることが好ましい。また、液体洗浄剤組成物の塗布量は、液体洗浄剤組成物の濃度が、汚れの付着部分の繊維製品に対して１００％ｏｗｆ（汚れの付着部分の繊維製品の単位重量当たりに塗布した液体洗浄剤組成物の量）以上となる量が好ましく、より好ましくは２００％ｏｗｆ以上であり、さらに好ましくは３００％ｏｗｆ以上である。
液体洗浄剤組成物を繊維製品に塗布した後、洗濯するまでの放置時間は３０秒以上であり、１分以上が好ましく、５分以上がより好ましく、１０分以上がさらに好ましい。
放置後の液体洗浄剤組成物中の水の含有量は、液体洗浄剤組成物の総質量に対して４０質量％以下が好ましく、３０質量％以下がより好ましく、２５質量％以下がさらに好ましい。なお、放置前後の繊維製品の重さを測定し、その差を蒸発した水分量とみなして、放置後の液体洗浄剤組成物中の水の含有量を求めることができる。
塗布後の放置時の環境については特に制限されないが、温度は５〜４０℃が好ましく、１０〜３５℃がより好ましく、１５〜３０℃がさらに好ましい。また、湿度は９０％以下が好ましく、７０％以下がより好ましく、５０％以下がより好ましい。
放置場所についても特に制限されず、例えば、洗濯槽、洗濯カゴ、洗面器など、いずれ の場所でもよいが、洗濯カゴのような湿度がこもらない場所がより好ましい。
洗濯処理の方法は、液体洗浄剤組成物が塗布された繊維製品を、水又は新たな洗浄剤を含む洗浄液と接触させて、繊維製品に付着している汚れと液体洗浄剤を水中に移行させて除去する方法であってもよい。
前述の新たな洗浄剤は、液体でもよいし、粉末でもよい。新たな洗浄剤としては特に制限されず、公知の繊維製品用の洗浄剤を用いてもよく、本発明の洗浄剤を用いてもよく、市販品を用いてもよい。市販品としては、例えば、ライオン社製の「トップ ＮＡＮＯＸ」、「トップクリアリキッド」；花王社製の「アタックＮＥＯ」、「アタック高浸透バイオジェル」、「アタック消臭ストロング」；プロクター・アンド・ギャンブル社製の「アリエールイオンパワージェル」、「アリエールパワージェルボール」等が挙げられる。
すすぎ処理では、洗浄処理を行った後に、液体洗浄剤を含まないすすぎ水中で、好ましくは繊維製品に外力を加えて、繊維製品に残留している液体洗浄剤をすすぎ水中に移行させた後、脱水等を行って、繊維製品をすすぎ水から分離する。すすぎ処理は１回でもよく、２回以上繰り返してもよい。
繊維製品に外力を加える方法は、例えば洗濯機により機械力を加える方法でもよく、もみ洗い、押し洗い、たたき洗い、つかみ洗い、つまみ洗い、又は振り洗い等の手洗いによる方法でもよい。
【実施例】
【００５６】
以下に実施例を用いて本発明をさらに詳しく説明するが、本発明はこれら実施例に限定されるものではない。
【００５７】
表２〜４に示す組成に従い各成分を混合し、ｐＨ調整剤を加えてｐＨが表２〜４に示す値となるよう調製して各組成物を得た。
【００５８】
表中の配合量の単位は「質量％」であり、いずれの成分も純分換算量を示す。
【００５９】
表中の空欄はその成分が配合されていないことを示す。
【００６０】
「バランス」は、各例の組成物に含まれる全配合成分の合計の配合量（質量％）が１００質量％となるように水が配合されていることを意味する。
【００６１】
以下に、表中に示した成分について説明する。
＜（Ａ）成分＞
ａ−１：ポリオキシエチレンアルキル（炭素数１２〜１４）エーテル（ＥＯの平均付加モル数１５）、商品名「ＬＭＡＯ−９０」、ライオン株式会社製。式（ａ１）中、Ｒ１＝炭素数１２〜１４の直鎖のアルキル基、Ｘ＝Ｏ、ｍ＝１５、ｎ＝０、Ｒ２＝Ｈ。
ａ−２：ポリオキシエチレンアルキル（炭素数１２〜１４）エーテル（ＥＯの平均付加モル数１２）、商品名「ＬＭＡＬ−９０」、ライオン株式会社製。式（ａ１）中、Ｒ１＝炭素数１２〜１４の直鎖のアルキル基、Ｘ＝Ｏ、ｍ＝１２、ｎ＝０、Ｒ２＝Ｈ。
ａ−３：ポリオキシエチレンアルキル（炭素数１２〜１４）エーテル（ＥＯの平均付加モル数９）、商品名「ＮＳＡＥ−８５」、ライオン株式会社製。式（ａ１）中、Ｒ１＝炭素数１２〜１４の直鎖のアルキル基、Ｘ＝Ｏ、ｍ＝９、ｎ＝０、Ｒ２＝Ｈ。
ａ−４：ポリオキシエチレン脂肪酸メチルエステル（ＥＯの平均付加モル数１５）、商品名「ＣＥＡＯ−９０」、ライオン株式会社製。式（ａ１）中、Ｒ１＝炭素数１２〜１４の直鎖のアルキル基、Ｘ＝ＣＯＯ、ｍ＝１５、ｎ＝０、Ｒ２＝メチル基。
ａ−５：ポリオキシエチレンアルキル（炭素数１３）エーテル（ＥＯの平均付加モル数７）、商品名「ＴＬＭＡＧＬ−９０Ｍ」、ライオン株式会社製。式（ａ１）中、Ｒ１＝炭素数１３の分岐のアルキル基、Ｘ＝Ｏ、ｍ＝７、ｎ＝０、Ｒ２＝Ｈ。
＜（Ｂ）成分＞
ｂ−１： ＬＡＳ、炭素数１０〜１４のアルキル基を有する直鎖状又は分岐状のアルキルベンゼンスルホン酸、商品名「ライポン（登録商標）ＬＨ−２００」、ライオン株式会社製。
ｂ−２： α−オレフィン（Ｃ１４）スルホン酸ナトリウム、商品名「リポランＬＪ−４４３」、ライオン株式会社製。
ｂ−３：ポリオキシエチレンアルキルエーテル（ＥＯの平均付加モル数２）硫酸ナトリウム、商品名「エマール  ２７０Ｊ」、花王株式会社製。
ｂ−４： フレーク状ＭＥＳ、商品名ＭＩＺＵＬＡＮ  ＦＬ８０、グローバルエコケミカルズマレーシア社製。脂肪酸残基の炭素数１６：炭素数１８＝８３：１７（質量比）のα−スルホ脂肪酸エステルのナトリウム塩。
＜（Ｃ）成分＞
ｃ−１：ラッカーゼ （ノボザイムズ社製、商品名「Ｄｅｎｉｌｉｔｅ  II Ｓ」）。
ｃ−２：ペルオキシダーゼ（ノボザイムズ社製、商品名「Ｄｅｎｉｌｉｔｅ  Ｃｏｌｄ」）。
＜（Ｃ’）成分＞
ｃ’−１：プロテアーゼ（ノボザイムズ社製、商品名「Ｃｏｒｏｎａｓｅ  ４８Ｌ」）。
＜（Ｄ）成分＞
ｄ−１：４，４’−ジクロロ−２−ヒドロキシジフェニルエーテル（ＢＡＳＦ社製、商品名「Ｔｉｎｏｓａｎ ＨＰ１００」）。
＜（Ｅ）成分＞
ｅ−１：過酸化水素（三菱ガス化学株式会社製）。
＜任意成分＞
・ＰＥＧ：ポリエチレングリコール（水混和性有機溶媒）、ライオン株式会社製、商品名「ＰＥＧ＃１０００」。
・安息香酸ナトリウム：安息香酸ナトリウム（防腐剤）、東亜合成株式会社製。
・香料：表１の香料組成物。
・エタノール：日本合成アルコール株式会社製、商品名：特定アルコール９５度合成。
・ｐＨ調整剤（ＮａＯＨ）：鶴見曹達株式会社製、商品名：水酸化ナトリウム。
・水。
＜尿臭除去効果の評価＞
（１）洗浄液の調製
表２〜４に示す組成物を調製後、水３０Ｌに対して前記組成物３０ｍＬの割合で混合し、３０秒間撹拌して調製し、洗浄液とした。
（２）尿臭の官能評価
透明の円筒ねじ口ガラス瓶（ＳＶ−５０Ａ：口径４０ｍｍ×高さ７５ｍｍ）に各洗浄液を１９ｍＬ添加し、さらに水で１００ｐｐｍに希釈したｐ−クレゾール溶液を１ｍＬ添加した。１時間後、前記瓶中の臭気強度を６段階で評価し、臭気強度の平均点を算出する方法で行った。臭気強度の点数が高いほど臭気が弱いことを表す。また、官能評価の平均点（６名の平均点）に基づいて、下記の基準で消臭効果を評価した。
【００６２】
（臭気強度の評価）
５点：異臭が全くしない。
４点：異臭がやっと感知できる程度に感じられる。
３点：異臭が弱く感じられる。
２点：異臭がやや強く感じられる。
１点：異臭が強く感じられる。
０点：異臭が強烈に感じられる。
（評価基準）
◎：官能評価の平均点が３．０以上。
【００６３】
○：官能評価の平均点が２．５以上３．０未満。
【００６４】
△：官能評価の平均点が２．０以上２．５未満。
【００６５】
×：官能評価の平均点が２．０未満。
＜介護臭除去効果の評価＞
（１）介護臭試験布の調製
介護家庭から回収した臭いが気になる衣類（下穿き）を、５ｃｍ×５ｃｍに裁断し、試験布とした。
（２）組成物による洗浄
この試験布について下記のように洗浄試験を行った。
Ｔｅｒｇ−Ｏ−ｔｏｍｅｔｅｒ（ＵＮＩＴＥＤ ＳＴＡＴＥＳ ＴＥＳＴＩＮＧ社製）を洗浄試験器として用いた。表２〜４に示す通常使用方法における洗浄液としては、表２〜４の各例の洗浄剤組成物を用い、水３０Ｌに対して前記洗浄剤組成物３０ｍＬの割合で、両者を３０秒間撹拌して調製し、洗浄液とした。上記の介護臭試験布５枚と、洗浄メリヤス布と、前記洗浄液９００ｍＬとを前記洗浄試験器に入れ、浴比２０倍となるように１２０ｒｐｍ、１５℃で１０分間洗浄した。その後、二槽式洗濯機（株式会社東芝製、品番：ＶＨ−３０Ｓ(Ｈ)）に移し、１分間脱水後、水道水（１５℃、４゜ＤＨ）３０Ｌ中で３分間濯ぎ、風乾した。
なお、実施例２１、２３に示す塗布使用方法としては、実施例２１、２３の各例の洗浄剤組成物を、介護臭試験布１枚につき１８０μＬを汚染部に塗布して１０分間放置した。その後、介護臭試験布５枚と、洗浄メリヤス布を前記洗浄試験器に入れ、浴比２０倍となるように水を９００ｍＬ加えた後、１２０ｒｐｍ、１５℃で１０分間洗浄した。その後、二槽式洗濯機（株式会社東芝製、品番：ＶＨ−３０Ｓ(Ｈ)）に移し、１分間脱水後、水道水（１５℃、４゜ＤＨ）３０Ｌ中で３分間濯ぎ、風乾した。
（３）介護臭の官能評価
各パネラーが試験布５枚の臭いを嗅いで、下記の評価基準に基づいて臭気強度を６段階で評価し、各パネラー毎に５枚の臭気強度の平均点を算出する方法で行った。臭気強度の点数が高いほど臭気が弱いことを表す。また官能評価の平均点（６名の平均点）に基づいて、下記の基準で消臭効果を評価した。
（臭気強度の評価）
５点：異臭が全くしない。
４点：異臭がやっと感知できる程度に感じられる。
３点：異臭が弱く感じられる。
２点：異臭がやや強く感じられる。
１点：異臭が強く感じられる。
０点：異臭が強烈に感じられる。
（評価基準）
◎：官能評価の平均点が３．０以上。
【００６６】
○：官能評価の平均点が２．５以上３．０未満。
【００６７】
△：官能評価の平均点が２．０以上２．５未満。
【００６８】
×：官能評価の平均点が２．０未満。
【００６９】
【表１】
2020125388.tif 000005
【００７０】
【表２】
2020125388.tif 000006
【００７１】
【表３】
2020125388.tif 000007
【００７２】
【表４】
2020125388.tif 000008
【００７３】
表２〜４の結果から、本発明を適用した実施例１〜２８は、尿臭除去効果、及び介護臭除去効果において優れていた。
【００７４】
（Ａ）成分を含有しない比較例１は、介護臭除去効果が劣っていた。
総界面活性剤量が１３％未満となる比較例２は、介護臭除去効果が劣っていた。
【００７５】
（Ｃ）成分を含有しない比較例３は、尿臭除去効果および介護臭除去効果が劣っていた。
【００７６】
（Ｃ）成分の代わりに（Ｃ’）成分を含有する比較例４は、尿臭除去効果および介護臭除去効果が劣っていた。
[（Ｂ）成分／（Ａ）成分]の質量比が０．００５〜１の範囲外となる比較例５は、介護臭除去効果が劣っていた。